(57)【要約】【課題】悪天候や台風などのときであっても雨風は入らず、かつ納骨室内の深遠性及び荘厳性も良好な採光ができる石材墓を提供する。【解決手段】本発明は、側壁２，３と側壁２，３の上部に固定された屋根５と、側壁と屋根に囲まれた内部空間が納骨室である石材墓１であって、側壁２，３の上部には、納骨室内に太陽光を採光するための装飾ガラス４が、密封状態で組み込まれている石材墓である。装飾ガラス４は細長状直方体形状であり、石材間をスリット状に開口し、向かい合う石材の厚さ方向の一部をそれぞれ凹状とし、前記凹状間に装飾ガラスが組み込まれているのが好ましい。【選択図】図１
2019007242.tif 000002
【特許請求の範囲】
【請求項１】
側壁と前記側壁の上部に固定された屋根と、前記側壁と屋根に囲まれた内部空間が納骨室である石材墓であって、
前記側壁の上部には、前記納骨室内に太陽光を採光するための装飾ガラスが、密封状態で組み込まれていることを特徴とする石材墓。
【請求項２】
前記装飾ガラスは細長状直方体形状であり、石材間をスリット状に開口し、向かい合う石材の厚さ方向の一部をそれぞれ凹状とし、前記凹状間に装飾ガラスが組み込まれている請求項１に記載の石材墓。
【請求項３】
前記装飾ガラスと凹状の石材との間の上下方向にはスペーサが介在している請求項２に記載の石材墓。
【請求項４】
前記装飾ガラスの周囲はコーキング材が介在し、前記側壁に密封されている請求項１〜３のいずれかに記載の石材墓。
【請求項５】
前記装飾ガラスは、ステンドグラス、コールドワーク・顔料焼き付けガラス、キルンワーク・カラーグラス、エッチングガラス及びサンドブラストガラスから選ばれる少なくとも一つのガラスである請求項１〜４のいずれかに記載の石材墓。
【請求項６】
前記装飾ガラスは背面測壁に組み込まれており、背面側壁表面よりも奥に配置されている請求項１〜５のいずれかに記載の石材墓。
【請求項７】
前記石材墓は、破風墓（家形墓）及び亀甲墓から選ばれる少なくとも一つである請求項１〜６のいずれかに記載の石材墓。
【発明の詳細な説明】
【技術分野】
【０００１】
本発明は石材墓に関する。さらに詳しくは、納骨室内に太陽光を採光するための装飾ガラスを組み込んだ石材墓に関する。
【背景技術】
【０００２】
一般に、墓は骨壺を収容する納骨室と、納骨室に通じる開口とを備えている。従来の破風墓（はふはか。家形墓ともいう。）及び亀甲墓等の大型の墓には、納骨室内に太陽光を採光するための手段はなく、内部は暗かった（特許文献１〜３）。この理由は、墓の内部は深遠な場所であり、むやみに明るくすることは好まれなかったこと、及び単に穴をあけるだけでは、悪天候や台風などのときに雨風が入り、内部が浸水したり、破損する恐れがあるからである。
【先行技術文献】
【特許文献】
【０００３】
【特許文献１】特許第５８９８７２３号公報
【特許文献２】特許第２７８３９３９号明細書
【特許文献３】実用新案登録第３０１３４９０号公報
【発明の概要】
【発明が解決しようとする課題】
【０００４】
しかし、納骨室内が暗いと、人が骨壺等にぶつかって破損したり、怪我をする事故が起こるという問題があった。また、納骨室内が暗いと、内部の作業が不都合である。
【０００５】
本発明は、前記従来の問題を解決するため、悪天候や台風などのときであっても雨風は入らず、かつ納骨室内の深遠性及び荘厳性も良好な採光ができる石材墓を提供する。
【課題を解決するための手段】
【０００６】
本発明は、側壁と前記側壁の上部に固定された屋根と、前記側壁と屋根に囲まれた内部空間が納骨室である石材墓であって、前記側壁の上部には、前記納骨室内に太陽光を採光するための装飾ガラスが、密封状態で組み込まれている石材墓である。
【発明の効果】
【０００７】
本発明の石材墓は、納骨室内に太陽光を採光するための装飾ガラスが、密封状態で組み込まれていることにより、悪天候や台風などのときであっても雨風は入らず、かつ納骨室内の深遠性及び荘厳性も良好な採光ができる。
【図面の簡単な説明】
【０００８】
【図１】図１は、本発明の一実施形態に係る墓の背面図である。
【図２】図２Ａは同、装飾ガラスを側壁に組み込む前の説明図、図２Ｂは同、装飾ガラスを側壁に組み込んだ後の説明図、図２Ｃは同、装飾ガラスを側壁に組み込んだ後の模式的断面図である。
【図３】図３は同、正面図である。
【図４】図４は同、図３のＩ−Ｉ線断面図である。
【図５】図５は、本発明の別の実施形態に係る墓の背面図である。
【発明を実施するための形態】
【０００９】
本発明の石材墓は、側壁と前記側壁の上部に固定された屋根と、前記側壁と屋根に囲まれた内部空間が納骨室である石材墓である。このような墓としては、例えば破風墓（家形墓）、亀甲墓等がある。側壁及び屋根を含め、ほぼ全体が石材で構成されている。一部にコンクリートを使用することもできる。そして、側壁の上部には、納骨室内に太陽光を採光するための装飾ガラスが、密封状態で組み込まれている。これにより、悪天候や台風などのときであっても雨風は入らず、かつ納骨室内の深遠性及び荘厳性も良好な採光ができる。
【００１０】
装飾ガラスは細長状直方体形状であり、石材間をスリット状に開口し、向かい合う石材の厚さ方向の一部をそれぞれ凹状とし、前記凹状間に装飾ガラスが密封状態で組み込まれているのが好ましい。これにより、うっすらとしたスリット光を納骨室に採光でき、深遠性及び荘厳性を保つことができる。装飾ガラスは１か所でもよいし、複数個所に設けてもよい。また、装飾ガラスは側壁表面よりも奥に配置されており、倒木などの外部から衝撃を受けても破損しにくい。
【００１１】
装飾ガラスと凹状の石材との間の上下方向にはスペーサが介在しているのが好ましい。これにより、ガラスの保護ができ、施工時、地震、或いは悪天候や台風などのときであっても装飾ガラスの破損を防ぐことができる。
【００１２】
装飾ガラスの周囲はコーキング材が介在し、側壁に密封されているのが好ましい。コーキング材により側壁に装飾ガラスを密封すれば、より強固に密封でき、悪天候や台風などのときであっても雨風は入らない。
【００１３】
装飾ガラスは、ステンドグラス、キルンワーク・カラーグラス、エッチングガラス及びサンドブラストガラスから選ばれる少なくとも一つのガラスであるのが好ましい。これらのガラスは、装飾性が高く、納骨室内の深遠性及び荘厳性も良好な採光ができる。前記ステンドグラスは、西欧の教会等で使われており、カラーのガラス板を鉛の棒でつなぎ合わせたガラスである。コールドワーク・顔料焼き付けガラスは、ガラス板表面に顔料を溶着したガラスである。キルンワーク・カラーグラスは、電気炉内で熱を加えて成形する技法で、石膏型にガラス粉、顔料粒子、無機粒子等を入れて溶融成形するパート・ド・べールガラスやフュージングガラス等がある。エッチングガラスは、ガラス表面をエッチングし、絵柄や色彩を加えたガラスである。サンドブラストガラスは、サンドブラストによりガラス表面に絵柄や文字等を加えたガラスである。いずれもガラス色調は任意に選択可能であり、一様な色調でもよいし、濃淡のある色調でもよい。光線透過率は７０％以下が好ましく、さらに好ましくは５０％以下である。これらの装飾ガラスは、株式会社沖セキ、商品名"ＫＡＧＬＡ（カグラ）" として販売されている。
【００１４】
装飾ガラスは、前面壁、側面壁、背面壁の何れかに組み込むのが好ましいが、さらに好ましくは背面壁に組み込む。これにより、深遠性及び荘厳性を保つことができる。
【００１５】
以下図面を用いて説明する。以下の図面において、同一符号は同一物を示す。図１は、本発明の一実施形態に係る破風墓１の背面図である。この破風墓１は、背面側壁２，３の間のスリット部に装飾ガラス４が組み込まれている。装飾ガラス４の寸法は、一例として高さＨが３０〜１００ｍｍ、厚さ２０〜  １００ｍｍ、長さＬが３００〜１０００ｍｍが好ましい。この破風墓１の全体の大きさは、一例として間口（横）８００〜４５００ｍｍ、奥行き１２００〜４０００ｍｍ、屋根５の頂点までの高さ１１６５〜３１００ｍｍである。
【００１６】
図２Ａは装飾ガラス４を背面側壁２，３の間のスリット部６ａ，６ｂに組み込む前の説明図である。スリット部６ａ，６ｂの両端には装飾ガラス４を組み込むための凹部を形成しておく。図２Ｂは装飾ガラスを背面側壁２，３に組み込んだ後の説明図である。装飾ガラス４は背面側壁２，３の表面よりも奥に配置されており、倒木などの外部から衝撃を受けても破損しにくい。図２Ｃは装飾ガラスを背面側壁２，３に組み込んだ後の模式的断面図である。装飾ガラス４と凹状の石材との間の上下方向にはスペーサ７ａ，７ｂが介在している。装飾ガラス４と石材の厚さ方向であって、装飾ガラスの周囲には、石材用ボンド９とコーキング材８が介在し、側壁に密封されている。装飾ガラス４は背面側壁２，３の表面より５〜３０ｍｍ程度奥に配置されている。スペーサ７ａ，７ｂとしては、ポリウレタン樹脂発泡体、ポリオレフィン樹脂発泡体等を使用できる。石材用ボンド９は、アクリル系等の通常の石材用ボンドとして使用されているものを適用できる。コーキング材８は、ポリウレタン系、シリコーン系等の通常のコーキング材として使用されているものを適用できる。
【００１７】
図３は同、破風墓１の正面図、図４は同、図３のＩ−Ｉ線断面図である。この破風墓１は、前部の扉１２から内部に入ることができ、内部の納骨室１０内には、階段状の載置台１１が設置されている。載置台１１上に、複数の遺骨を載置する。背面側壁２，３の間に組み込まれた装飾ガラス４からの入射光線１３は、納骨室１０内をうっすらと明るくする。
【００１８】
図５は、本発明の別の実施形態に係る破風墓１４の背面図である。この例においては、装飾ガラス４は背面壁１５の上部と屋根５の間に組み込まれている。
【実施例】
【００１９】
以下、実施例によりさらに詳しく説明する。但し、本発明は下記の実施例に限定されるものではない。
（実施例１）
図１〜４に示すように、御影石を使用して破風墓１を作製した。この破風墓１の全体の大きさは、間口（横）２０００ｍｍ、奥行き１９００ｍｍ、屋根５の頂点までの高さ２２１０ｍｍである。背面側壁２，３の厚さは８０ｍｍである。装飾ガラス４の寸法は、高さＨが６５ｍｍ、厚さ３０ｍｍ、長さＬが７００ｍｍである。断面から見て、装飾ガラス４は背面側壁２，３のほぼ中央に配置されている。装飾ガラス４と凹状の石材との間の上下方向にはスペーサ７ａ，７ｂを入れて保護した。装飾ガラス４と石材の厚さ方向であって、装飾ガラスの周囲には、石材用ボンド９とコーキング材８により、側壁に密封した。装飾ガラス４は背面側壁２，３の表面より２５ｍｍ奥に配置した。装飾ガラス４は、株式会社沖セキ、商品名"ＫＡＧＬＡ（カグラ）"のキルンワーク・カラーグラス（パート・ド・ベール０４、色調：緑と黄緑の濃淡がある不均一色）を使用した。
この破風墓は、悪天候や台風などのときであっても雨風は入らず、かつ納骨室内の深遠性及び荘厳性も良好な採光ができた。また、内部はうっすらと明るいので、人が骨壺等にぶつかることはなく、内部作業にも便利であった。
【産業上の利用可能性】
【００２０】
本発明の利用分野に制限はなく、納骨室を有する墓に有用である。
【符号の説明】
【００２１】
１，１４  破風墓
２，３，１５  背面側壁
４  装飾ガラス
５  屋根部
６ａ，６ｂ  スリット部
７ａ，７ｂ  スペーサ
８  コーキング材
９  石材用ボンド
１０  納骨室
１１  載置台
１２  扉
１３  入射光
【図１】
2019007242.tif 000003
【図２】
2019007242.tif 000004
【図３】
2019007242.tif 000005
【図４】
2019007242.tif 000006
【図５】
2019007242.tif 000007
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
側壁と前記側壁の上部に固定された屋根と、前記側壁と屋根に囲まれた内部空間が納骨室である破風型の石材墓であって、
前記側壁の上部には、前記納骨室内に太陽光を採光するための装飾ガラスが、密封状態で組み込まれており、
前記装飾ガラスは、高さ３０〜１００ｍｍ、厚さ２０〜１００ｍｍ、長さ３００〜１０００ｍｍの細長状直方体形状であり、石材間をスリット状に開口し、向かい合う石材の厚さ方向の一部をそれぞれ凹状とし、前記凹状間に前記装飾ガラスが組み込まれていることを特徴とする石材墓。
【請求項２】
前記装飾ガラスと凹状の石材との間の上下方向にはスペーサが介在している請求項１に記載の石材墓。
【請求項３】
前記装飾ガラスの周囲はコーキング材が介在し、前記側壁に密封されている請求項１又は２に記載の石材墓。
【請求項４】
前記装飾ガラスは、ステンドグラス、コールドワーク・顔料焼き付けガラス、キルンワーク・カラーグラス、エッチングガラス及びサンドブラストガラスから選ばれる少なくとも一つのガラスである請求項１〜３のいずれかに記載の石材墓。
【請求項５】
前記装飾ガラスは背面側壁に組み込まれており、背面側壁表面よりも奥に配置されている請求項１〜４のいずれかに記載の石材墓。
【手続補正２】
【補正対象書類名】明細書
【補正対象項目名】０００７
【補正方法】変更
【補正の内容】
【０００７】
本発明の石材墓は、側壁と前記側壁の上部に固定された屋根と、前記側壁と屋根に囲まれた内部空間が納骨室である破風型の石材墓であって、前記側壁の上部には、前記納骨室内に太陽光を採光するための装飾ガラスが、密封状態で組み込まれており、前記装飾ガラスは、高さ３０〜１００ｍｍ、厚さ２０〜１００ｍｍ、長さ３００〜１０００ｍｍの細長状直方体形状であり、石材間をスリット状に開口し、向かい合う石材の厚さ方向の一部をそれぞれ凹状とし、前記凹状間に前記装飾ガラスが組み込まれていることを特徴とする。